(57)【特許請求の範囲】
【請求項１】
育苗棚を複数段有し、自然光の入らない閉鎖型構造物の内部で空調装置によって温度および湿度を調節し、養液自動供給装置によって養液を供給し、二酸化炭素供給装置によって二酸化炭素を供給し、人工光源を用いて植物の苗を育成する多段式育苗装置において、
各育苗棚の天部側の棚板に設けた貫通孔に当該育苗棚から上方へ空気を吸い出すよう送風ファンを設置し、
最上段と最下段との間の中段に位置する育苗棚の天部側の棚板の上方に、隣接する下段の育苗棚から前記貫通孔を通って吸い出された空気の排出通路となる間隔を確保するよう育苗ベッド支持棒を介して育苗ベッドを設置し、
各育苗棚の前側および後側の側面を開放して、それら開放した前後の側面に、フィルム状の反射部材を、上端部が支点となって上下に開閉自在で、閉じた状態で側面下部に通気用の隙間を残すよう取り付けたことを特徴とする多段式育苗装置。
【発明の詳細な説明】
【技術分野】
【０００１】
本発明は、閉鎖型構造物の内部で人工光源を用いて植物の苗を育成する多段式育苗装置に関する。
【背景技術】
【０００２】
閉鎖構造物の内部は、人工光源によって光質、光強度並びに照射時間を自由に設定でき、空調装置によって温度、湿度等を調節でき、二酸化炭素濃度を調節できる。また潅水量、施肥濃度なども調節しやすく、種々の環境条件を苗の生育に最適な状態に調節することが可能であり、病原菌や害虫の被害を受けず、天候に左右されずに高品質の苗の生産が可能である。そして、育苗棚を多段配置することで生産効率を高めることができる。そこで、自然光の入らない閉鎖型構造物の内部で、空調装置によって温度および湿度を調整し、養液自動供給装置によって育苗ベッドに養液を供給し、二酸化炭素供給装置によって二酸化炭素を供給し、人工光源を用いて植物の苗を育成する多段式育苗装置が種々開発されている。
【０００３】
閉鎖型構造物の内部でこうした多段式育苗装置によって品質の均一な苗を効率よく生産するためには、育苗棚内部の育苗空間の温度、湿度および二酸化炭素濃度が均一となるよう制御することが必要で、そのために育苗空間の全域に均一な空気の流れをつくる必要があるとともに、人工光源の光を全域で苗に効率よく照射できるようにする必要がある。
【０００４】
従来の多段式育苗装置は、例えば、ファンによって育苗棚に背面側から空気を送り込み、前面側から排出するというものであった（例えば、特許文献１参照。）。また、多段式植物栽培装置の各段の背面側の側面に貫通孔を設けてファンを設置し、他の側面に通風用の開口部を設け、或いは前面側の側面を全面開放して、空気を側面の開口部あるいは全面開放した前面側から吸い込んで背面側から排出するというものも従来から知られている（例えば、特許文献２参照。）。しかし、これらは空気の吸い込みと排出をいずれも側面より行うもので、風上と風下とで風速に差が出て、均一な空気の流れつくるのは難しい。また、従来の装置は、作業用の取り出し口とする前面側の側面は開放され、背面側の側面は光を反射する壁面構造であるため、前面側と背面側とで光量にムラが出来、そのため、苗の品質が一定にならない。
【０００５】
また、それとは別に、閉鎖型施設内に配置する多段棚式の植物育成装置であって、各段の育成ユニットの内部を天板によって上室および下室に分割し、上室及び下室の側面に通気用窓を形成し、天板に形成した貫通孔に下室から上室に向けて気流を発生させるファンを設置して、下室側面の通気用窓から吸引した空気を上室へ吸い上げて、上室の通気用窓から外部に排出するよう構成し、また、下室内面に反射材を設けることで植物に多角度から光を当てることができるようにしたものが知られている（例えば、特許文献３参照。）。
【先行技術文献】
【特許文献】
【０００６】
【特許文献１】特開２００１−３４６４５０号公報
【特許文献２】特開２００８−２１２０７８号公報
【特許文献３】特開２００４−１２１０７４号公報
【発明の概要】
【発明が解決しようとする課題】
【０００７】
従来のように多段式育苗装置の各段の育苗空間への空気の吸い込みと排出をいずれも側面より行うのでは、風上と風下とで風速に差が出て、均一な空気の流れつくるのは難しく、また、作業用の取り出し口として開放される前面側の部分と壁面構造で光を反射する背面側の部分では光量に差があって光量にムラが出来るため、全域で苗に効率よく光を照射することができない。
【０００８】
また、上述の植物育成装置のように育成ユニットの内部を天板によって上室および下室に分割し、上室及び下室の側面に通気用窓を形成し、天板に形成した貫通孔に下室から上室に向けて気流を発生させるファンを設置して、下室側面の通気用窓から吸引した空気を上室へ吸い上げて、上室の通気用窓から外部に排出するよう構成したとしても、それだけで、人工光源の光を全域で育成植物に効率よく照射することは難しい。この構成では、下室の側端部分は中央部分に比べて光量が低くて、光量にムラができる。そのため、特に野菜の苗を育成する装置として使用した場合に、苗の育成に必要な光量を全域でムラなく確保することができず、品質の均一な苗を効率よく生産することができない。
【０００９】
したがって、閉鎖型構造物の内部で人工光源を用いて植物の苗を育成する多段式育苗装置において、育苗空間の全域で均一な空気の流れをつくって温度、湿度および二酸化炭素濃度の均一化を可能にするとともに、人工光源の光を全域で苗に効率よく照射することができ、品質の均一な苗を効率よく生産できるようにすることが課題であり、この課題を解決することが本発明の目的である。
【課題を解決するための手段】
【００１０】
本発明の多段式育苗装置は、育苗棚を複数段有し、自然光の入らない閉鎖型構造物の内部で空調装置によって温度および湿度を調節し、養液自動供給装置によって養液を供給し、二酸化炭素供給装置によって二酸化炭素を供給し、人工光源を用いて植物の苗を育成する多段式育苗装置において、各育苗棚の天部側の棚板（好ましくは中央部分）に設けた貫通孔に当該育苗棚から上方へ空気を吸い出すよう送風ファンを設置し、最上段と最下段との間の中段に位置する育苗棚の天部側の棚板の上方に、隣接する下段の育苗棚から前記貫通孔を通って吸い出された空気の排出通路となる間隔を確保するよう育苗ベッド支持棒を介して育苗ベッドを設置し、各育苗棚の前側および後側の側面を開放して、それら開放した前後の側面に、少なくとも内側表面が光の反射率が高い素材からなるフィルム状の反射部材を、上端部が支点となって上下に開閉自在で、閉じた状態で側面下部に通気用の隙間を残すよう取り付けたことを特徴とする。
【００１１】
この多段式育苗装置は、反射部材を閉じた状態で、育苗棚の前後の側面の下部に通気用の隙間ができる。そして、送風ファンにより育苗棚の前後両側面下部の隙間から育苗空間に空気が吸い込まれ、育苗棚の天部側の棚板の貫通孔から吸い出される。そして、貫通孔から吸い出された空気は最上段以外の育苗棚では天部側の棚板と隣接する上段の育苗棚の育苗ベッドとの間に確保された間隙が排出通路となって排出され、最上段の育苗棚では貫通孔から吸い出された空気がそのまま外方へ排出され、各段で育苗棚の全域にムラのない空気の流れを生じる。そのため、各段の育苗空間で温度、湿度および二酸化炭素濃度を均一にする制御が容易になる。
【００１２】
また、この多段式育苗装置は、反射部材を閉じた状態で、育苗棚の内部で人工光源からの光が上方から育苗ベッド上に並ぶ植物の苗に照射する。そして、前後の側面から漏れようとする光の大部分が反射部材で内側へ反射し、それにより、育苗ベッド上の前後両側端部分での光量の低下を抑制することができ、中央部分との光量の差を小さくし光量ムラを少なくすることができる。
【００１３】
また、反射部材の下方の隙間から吸い込まれる空気の流れに吸引されて反射部材が内側に湾曲し、その分、光の反射方向が上向きになり、上からの光が当たりにくい葉の裏側にも光を効率よく照射して苗の光合成効率を高めることができる。そして、湾曲した反射部材が空気の揺れに伴って揺らぎ、光の反射方向がたえず変化することによって、広い範囲で葉の裏側まで光が届き、光合成の効率が高まる。
【００１４】
こうして人工光源からの光およびその反射光によって各段の育苗空間の全域で適正な光量を確保しつつ多角度から効率よく照射することができ、品質の均一な苗の生産が可能となる。
【００１５】
また、この多段式育苗装置は、反射部材を開くことにより、あるいは取り外すことによって育苗棚の前後の側面を両方とも開放することができ、育苗ベッド等の出し入れを前後両側面のどちらからでも行なうことができて作業性が向上する。
【発明の効果】
【００１６】
本発明の多段式育苗装置は、反射部材を閉じた状態で、送風ファンにより育苗棚の前後両側面下部の隙間から育苗空間に空気が吸い込まれ、育苗棚の天部側の棚板の貫通孔から吸い出され、排出されることにより、各段で育苗棚の全域にムラのない空気の流れを生じさせることができ、育苗空間の温度、湿度および二酸化炭素濃度を均一にする制御が容易になる。
【００１７】
また、反射部材を閉じた状態で、前後の側面から漏れようとする光の大部分が反射部材で内側へ反射し、それにより、育苗ベッド上の前後両側端部分での光量の低下を抑制することができ、中央部分との光量の差を小さくし光量ムラを少なくすることができる。
【００１８】
また、反射部材の下方の隙間から吸い込まれる空気の流れに吸引されて反射部材が内側に湾曲し、その分、光の反射方向が上向きになり、上からの光が当たりにくい葉の裏側にも光を効率よく照射して苗の光合成効率を高めることができる。そして、湾曲した反射部材が空気の揺れに伴って揺らぎ、光の反射方向がたえず変化することによって、広い範囲で葉の裏側まで光が届き、光合成効率が一層高まる。
【００１９】
こうして人工光源からの光およびその反射光によって各段の育苗空間の全域で適正な光量を確保しつつ多角度から効率よく照射することができ、品質の均一な苗の生産が可能となる。
【００２０】
また、この多段式育苗装置は、反射部材を開くことにより、あるいは取り外すことによって育苗棚の前後の側面を両方とも開放することができ、育苗ベッド等の出し入れを前後両側面のどちらからでも行なうことができて作業性が向上する。
【００２１】
このように、本発明によれば、閉鎖型構造物の内部で人工光源を用いて植物の苗を育成する多段式育苗装置において、育苗空間の全域で均一な空気の流れを生じさせて温度、湿度および二酸化炭素濃度の均一化を可能にするとともに、人工光源の光を全域で苗に効率よく照射することができ、品質の均一な苗を効率よく生産できるようにすることができる。また、育苗ベッド等の出し入れの作業性が向上する。
【図面の簡単な説明】
【００２２】
【図１】本発明の実施形態の一例の多段式育苗装置の概略側面図である。
【図２】図１の多段式育苗装置の排出空気の流れを示す概略平面図である。
【図３】本発明の実施形態の多段式育苗装置を設置した育苗コンテナの概略配置を示す模式図で、（ａ）は平面図、（ｂ）は側面図である。
【図４】反射部材を設けた場合の光量分布図である。
【図５】反射部材を設けない場合の光量分布図である。
【発明を実施するための形態】
【００２３】
以下、本発明の実施の形態を図面に基づいて説明する。
図１は本発明の実施形態の一例の多段式育苗装置（以下、適宜「育苗装置」と略称する。）の概略構造を示している。
【００２４】
この実施形態の多段式育苗装置（以下、適宜「育苗装置」と略称する。）Ｅは、植物の苗特に水耕栽培用の野菜（枝豆等）の苗を育成するための装置であって、横幅寸法（図１の紙面に垂直な方向が横幅方向で、装置正面から見た左右方向に相当する。）が１８００〜２０００ｍｍ（例えば１８００ｍｍ）、奥行き寸法（図１の左右方向が奥行き方向で、装置正面から見た前後方向に相当する。）が６５０〜１０００ｍｍ（例えば１０００ｍｍ）、高さが１８００〜２０００ｍｍ（例えば１８００ｍｍ）の直方体状に組み立てられた本体フレーム１に、複数枚（図示の例では５枚）の棚板２が上下４００〜５００ｍｍ（例えば４００ｍｍ）の間隔で取り付けられ、それら棚板２と棚板２との間がそれぞれ育苗棚３となり、全体として複数段の育苗棚３を有する多段式（図示の例では４段であるが、段数は適宜変更できる。）の育苗装置Ｅを構成している。各段の育苗棚３は天部及び底部がそれぞれ棚板２で区画されるもので、一番上の棚板２は最上段の育苗棚３の天部を構成し、上から２番目の棚板２は最上段の育苗棚３の底部を構成するとともに隣接する上から２段目（下段側）の育苗棚３の天部を構成し、一番下を除く３番目以下の棚板２は順次同様に上段側の育苗棚３の底部を構成するとともに隣接する下段側の育苗棚３の天部を構成し、一番下の棚板２は最下段の育苗棚３の底部を構成している。
【００２５】
各段の育苗棚３には、それぞれ底部側の棚板２の上に後述のように育苗ベッド支持棒９を介して育苗ベッド４（給水トレイでもある）が設置される。そして、育苗ベッド４には、多数の栽培穴を有するセルトレイ５が配置される。セルトレイ５は、例えばポリエチレンや発泡スチロールなどの樹脂製シートの成形品である。
【００２６】
各段の育苗棚３の天部側の棚板２の下面には人工光源（人工照明装置）６が設置されている（この実施形態ではＬＥＤを用いている。但し、ＬＥＤに代えて蛍光灯等を用いることも可能である。）。人工光源６は、棚板２の下面に、前後方向（図１の左右方向）に間隔をおいて複数列となる配置で設けられている（図示の例では６列であるが、列数は適宜変更できる。）。これら人工光源６が設置される天部側の棚板２（一番下の棚板２以外の棚板２）の下面には、アルミニウム等の反射フィルムを或いは反射板を設置することができる。
【００２７】
そして、各段の育苗棚３の天部側の棚板２には、棚板２の横幅方向（図１の紙面に垂直な方向）に間隔をおいて一列に並ぶ配置で所定箇所（図示の例では３箇所であるが、箇所数は適宜変更できる。）にファン取付用の貫通孔７が設けられ、この貫通孔７に、育苗棚３から上方へ空気を吸い出すよう送風ファン８が設置されている。
【００２８】
また、最上段を除く育苗棚３の天部側の棚板２の上には複数本の育苗ベッド支持棒９が設置されている。これら複数本の育苗ベッド支持棒９は、隣り合う２本の育苗ベッド支持棒９がそれぞれ一つのファン取付用の貫通孔７を挟んで棚板２の前後方向（図１の左右方向）に延びる配置で、棚板２の横幅方向（図１の紙面に垂直な方向）に間隙をおいて平行配置される（図の例では３箇所の貫通孔７に対して育苗ベッド支持棒９が４本であるが、貫通孔７の数が変わればそれに応じて育苗ベッド支持棒９の本数も変わる。）。そして、これら育苗ベッド支持棒９を支えとして棚板２の上方に育苗ベッド４が設置されている。
【００２９】
最上段と最下段との間に位置する中段の育苗棚３は、天部側の棚板２の上に育苗ベッド支持棒９を介して育苗ベッド４が設置されることにより、それぞれの貫通孔７の両側の平行な２本の育苗ベッド支持棒９の間で、棚板２と育苗ベッド４との間に、隣接する下段の育苗棚３から貫通孔７を通って吸い出された空気の排出通路となるよう２０〜５０ｍｍ（望ましくは５０ｍｍ）の間隔ｔが確保される。図２は本実施形態の多段式育苗装置の排出空気の流れを平面視にて概略的に示している。送風ファン８により貫通孔７を通って育苗棚３から上方へ吸い出された空気は、図２に矢印で示すように貫通孔７の両側の平行な２本の育苗ベッド支持棒９の間を通って排出される。図２の左右方向は育苗棚３の前後方向（図１の左右方向）である。そして、図２の上下方向は育苗棚３の横幅方向（図１の紙面に垂直な方向）である。育苗棚３の内部は、天部側の棚板２と育苗ベッド３との間が育苗空間である。最上段の育苗棚３の天部側の貫通孔７を通って吸い出された空気はそのまま装置上方に排出される。また、図示の例では最下段の育苗棚３にも、育苗ベッド４の高さを整えるために天部側の棚板２の上に育苗ベッド支持棒９が設置されている。
【００３０】
育苗棚３の前側（図１の左側）および後側（図１の右側）の側面には、上端部を支点として上下に開閉自在で、上へ開いた状態で作業用の開口スペースを確保するよう側面を大きく開き、下へ閉じた状態で育苗ベッド３との間に通気用の隙間を残して閉じるよう、反射部材１０を上下に開閉自在に取り付けている。反射部材１０は、例えば、表面にアルミ蒸着層を有するビニールフィルムである。少なくとも内側表面が光の反射率が高い素材からなるフィルム状の部材（好ましくは可撓性部材）であればよい。そして、反射部材１０は、図１に示すように育苗棚３の天部側の棚板２に取り付けるもので、育苗ベッド４の前後側端から水平方向に距離Ｓ１（１０〜２５ｍｍ程度）離れた位置に設置し、育苗ベッド４の上部縁面から垂直方向に距離Ｓ２（２０〜３０ｍｍ程度）の隙間をあけるように配置することで、育苗空間への空気の流入口を確保する。
【００３１】
この育苗装置Ｅは、自然光の入らないコンテナ等の閉鎖型構造物の内部に設置して、空調装置によって温度および湿度を調節し、養液自動供給装置によって養液を供給し、二酸化炭素供給装置によって二酸化炭素を供給し、人工光源を用いて植物の苗を育成するのに使用する。育苗コンテナＣ（閉鎖型構造物）は、例えば幅３６００ｍｍ、長さ１１７００ｍｍ、高さ２５００ｍｍ（サイズはこれに限るものではない。）の自然光の入らない閉鎖型構造物であって、図３に示すように室内に照明装置（蛍光灯）１２、空調装置１３、循環扇１４等を備え、室外に循環養液タンク１５、液肥タンク１６、操作盤１７、ＣＯ2スタンド１８等を備えている。
【００３２】
育苗コンテナＣの内部には複数台の育苗装置Ｅを列状に並べて設置する。そして、セルトレイ５の栽培穴に嵌め込んだスポンジ等の海綿状多孔質の担体又は培土に枝豆等の野菜の種を蒔き、循環養液タンク１５内の養液を供給し循環させる養液自動供給装置によって養液を供給する。循環養液タンク１５内の養液はポンプ（図示せず）によって最上段の育苗ベッド４に送られて海綿状多孔質の担体又は培土を潤す。養液の供給・排出は各棚独立して行う。
【００３３】
育苗コンテナＣの内部は、空調装置１３によって温度１９〜２８℃（好ましくは１９〜２３℃）、湿度６０〜８５％（好ましくは６５〜８５％）に調整し、ＣＯ2スタンド１８内の二酸化炭素を二酸化炭素供給装置によって供給して、二酸化炭素濃度を１０００ｐｐｍ以上、好ましくは１０００〜１５００ｐｐｍに調整する。
【００３４】
育苗装置Ｅは、通常は、図３に示すように育苗コンテナＣの内部に複数台を列状に並べて設置するが、その場合、列の中間に配置する育苗装置Ｅは左右側面を開放面とし、列端に位置する育苗装置Ｅの列端側の側面を閉じた壁面とする。また、一つの育苗装置Ｅを単独で設置する場合は、左右側面を閉じた壁面とする。これら閉じた壁面には、アルミニウム等の反射フィルムを或いは反射板を設置することができる。
【００３５】
そして、育苗装置Ｅは常時は反射部材１０を閉じた状態で使用する。その状態で、育苗棚３の前後の側面には下部に通気用の隙間（育苗ベッド４の上部縁面から垂直方向に距離Ｓ２（２０〜３０ｍｍ程度）の隙間）が空く。そして、この隙間から育苗空間に空気が吸い込まれ、育苗棚３の天部側の棚板２の貫通孔７から送風ファン８により吸い出される。そして、貫通孔７から吸い出された空気は、最上段以外の育苗棚３では天部側の棚板２と隣接する上段の育苗棚３の育苗ベッド４との間隙ｔが排出通路となって排出され、最上段の育苗棚３では貫通孔７から吸い出された空気がそのまま上方へ排出される。こうして各段の育苗棚３の育苗空間全域にムラのない空気の流れ（空気の流速は０．１ｍ／ｓｅｃ以上、好ましくは０．２〜１．０ｍ／ｓｅｃ）が生じ、温度、湿度および二酸化炭素濃度が均一な育苗環境となる。また、適切な気流速度が維持されることにより、好適な蒸散速度を維持した栽培が可能となる。
【００３６】
また、この育苗装置Ｅは、反射部材１０を閉じた状態で、育苗棚３の内部で人工光源６からの光が上方から育苗ベッド４の苗に照射するとともに、前後の側面から漏れようとする光の大部分が反射部材１０で内側へ反射するため、育苗ベッド４上の前後両側端部分での光量の低下が抑制され、中央部分との光量の差が小さくなり、光量ムラが少なくなって、育苗ベッド４上の全域で光合成効率が高まる。また、反射部材１０の下方の隙間から吸い込まれる空気の流れに吸引されて反射部材１０が内側に湾曲し、その分、光の反射方向が上向きになって葉の裏側にも光を効率よく照射する。
【００３７】
図４は、育苗ベッド４の前後側（図の上下）に閉じた反射部材１０を配した状態で、育苗ベッド４上面を左右方向（図の左右）に分けて３領域を設定し、その３領域の各々をさらに左右５列、前後１０列に５０個の部分領域に分割して、人工光源６である高輝度ＬＥＤを６本点灯し、育苗ベッド４上のトレー底面から２７ｃｍの高さで部分領域ごとの光量を計測し、部分領域毎の光量の分布をＰＰＦＤ（光合成有効光量束密度、単位：μmol／ｍ2／ｓ）で表示したものである。育苗ベッド４の左右側方は開放されている。
【００３８】
また、図５は、比較例であって、反射部材１０を除去し、他は図４と同じ設定で光量を計測し、部分領域毎の光量の分布をＰＰＦＤ（光合成有効光量束密度、単位：μmol／ｍ2／ｓ）で示している。この場合も育苗ベッド４の左右側方は開放されている。
【００３９】
反射部材１０を設けることで、反射部材１０を設ける前と比較して育苗ベッド４の前後両側端部分の光量が、反射部材１０から１０ｃｍ程度の離れた位置で１０〜３０％上昇している。上昇率は、反射部材１０から離れるごとに減衰するが、中央部分は元々光量が高いため、側端部分の光量が上がることにより中央部分と側端部分の光のムラが少なくなっている。なお、図４および図５に示す光量分布は、育苗ベッド４の左右側方を開放しているために中央の領域の光量が全体として高くなっているが、実際の使用状態では、複数の育苗装置Ｅを列状に配置するので、左右領域には隣り合う育苗装置Ｅの人工光源６からも光が照射し、また、列端に位置する育苗装置Ｅの列端側の側面を閉じた壁面とするので、列端側の領域には壁面で反射した光が照射し、そのため、育苗ベッド４の左右の領域の光量も中央の領域と大差ないものとなる。また、一つの育苗装置Ｅを単独で設置する場合は、実際には左右側面を閉じた壁面とするので、やはり育苗ベッド４の左右の領域の光量も中央の領域と大差ないものとなる。
【００４０】
表１は、図４および図５における左右に分けた３領域の内の左端の領域について、その左右５列、前後１０列の５０分割した部分領域の光量（ＰＰＦＤ）の分布を、反射部材１０が有る場合（図４）と無い場合（図５）とを対比して表示するとともに、反射部材１０が有る場合の光量の増加率を表示している。ここでは左端の領域について示しているが、右端の領域の光量分布も、左右が逆になるだけで左端の領域と同様になる。また、中央の領域の光量分布は、全体として光量が高いが、増加率は左右の領域と概ね同様である。
【００４１】
【表１】
0006713107.tif 000002
【００４２】
また、上述のように吸い込まれる空気の流れに吸引されて湾曲した反射部材１０は、空気の揺れに伴って揺らぐため、光の反射方向がたえず変化し、広い範囲で葉の裏側まで光が届いて、光合成効率が一層高まる。反射部材１０は下部に棒状の重りｗを付けることにより、前後に１０〜２５ｍｍ程度の幅で揺れるようにすることができる。
【００４３】
こうして各段の育苗空間の全域で必要なＰＰＦＤ（光合成有効光量束密度）２００〜３５０μmol／ｍ2／ｓの光量を確保して多角度から効率よく照射することができ、品質の均一な苗を生産することができる。
【００４４】
そして、この育苗装置Ｅは、反射部材１０を開くことにより、あるいは取り外すことによって育苗棚３の前後の側面を両方とも開放することができ、セルトレイ５の出し入れを両側面のどちらからでも行なうことができる。
【実施例１】
【００４５】
上記図１〜３に示す実施形態の多段式育苗装置Ｅを使用した実施例について、トマト苗の生育状況を調査した結果を次に説明する。
【００４６】
表２は、この育苗装置Ｅにより明期１９時間・暗期５時間の照明設定、明期２４℃・暗期１９℃の温度設定で生育した出芽後１７日経過時点のトマト苗の生育状況を調査した結果を示している。この表では、育苗ベッド４上の前後方向に並んで側端から側端までの異なる位置で生育した５本の苗ａ〜ｅ（図１参照）を「苗Ｎｏ．１〜５」で示している。「苗Ｎｏ．１」は図１の苗ａ、「苗Ｎｏ．２」は苗ｂ、「苗Ｎｏ．３」は苗ｃ、「苗Ｎｏ．４」は苗ｄ、「苗Ｎｏ．５」は苗ｅに対応する。そして、苗Ｎｏ．毎に、１７日経過時点の草丈（地際から生長点までの高さ）、胚軸長（地際から子葉節までの長さ）、葉数（葉長３ｃｍ以上の展開葉数）、胚軸径（胚軸の太さ）の計測値（単位：ｃｍ）を示している。
【００４７】
【表２】
0006713107.tif 000003
【００４８】
育苗ベッド４上の前後方向の異なる位置で生育した苗ａ〜ｅのいずれの生育状況も概ね良好で、位置の違いによる生育状況の差は小さく、ほぼ一定の品質が確保されている。
【符号の説明】
【００４９】
Ｅ  多段式育苗装置
１  本体フレーム
２  棚板
３  育苗棚
４  育苗ベッド
５  セルトレイ
６  人工光源
７  貫通孔
８  送風ファン
９  育苗ベッド支持棒
ｔ  間隔
１０  反射部材
ｗ  重り
Ｃ  育苗コンテナ（閉鎖型構造物）
１２  照明装置
１３  空調装置
１４  循環扇
１５  循環養液タンク
１６  液肥タンク
１７  操作盤
１８  ＣＯ2スタンド
【図１】
0006713107.tif 000004
【図２】
0006713107.tif 000005
【図３】
0006713107.tif 000006
【図４】
0006713107.tif 000007
【図５】
0006713107.tif 000008